(57)【要約】【課題】  係合部材の押圧部と回動中心を結ぶ線がバッテリ着脱方向と平行をなす方向に対してある角度ずれて設定されているため、バッテリの装着には大きな力が必要になる一方、比較的小さな力で係合爪によるロックが解除されてしまう。【解決手段】  バッテリ２０が着脱自在に装着されるバッテリ収納部２５が外面に設けられた機器本体１１と、バッテリ２０をバッテリ収納部２５に係合保持するバッテリ係合機構６０と、を備えた電子機器に関する。バッテリ係合機構６０は、機器本体１１に回動自在に支持されるとともに、捩りバネ６２で付勢されることによりバッテリ収納部２５に装着されたバッテリ２０に係合される係合爪６８を有する係合部材６１と、係合部材６１の係合を解除する操作部材６３と、を備え、係合爪６８によるバッテリ２０の係合部Ｓと係合部材６１の回動中心Ｏとを結ぶ線Ｙが、バッテリ２０の着脱方向Ｘと略平行となるように回動中心Ｏを設定した。【選択図】      図１１ 
2005079019.tif 000002
【特許請求の範囲】
【請求項１】
装着部品が着脱自在に装着される部品収納部が外面に設けられた機器本体と、
前記装着部品を前記部品収納部に係合保持する部品係合機構と、を備えた電子機器において、
前記部品係合機構は、前記機器本体に回動自在に支持されるとともに、第１の弾性体で付勢されることにより前記部品収納部に装着された前記装着部品に係合される係合爪を有する係合部材と、前記係合部材の係合を解除する操作部材と、を備え、
前記係合爪による前記装着部品の係合部と前記係合部材の回動中心とを結ぶ線が、当該装着部品の着脱方向と略平行か又は若干内側となるように当該回動中心を設定したことを特徴とする電子機器。
【請求項２】
前記係合部材の回動中心と前記操作部材の回動中心を同一軸心線上に設定するとともに、操作部材の回動力を伝達させて係合部材を、前記係合が解除される方向に回動させる操作力伝達手段を設けたことを特徴とする請求項１に記載の電子機器。
【請求項３】
前記係合部材及び前記操作部材を支持軸によって回動自在に支持するとともに、操作部材を係合部材から離反する方向に付勢する第２の弾性体を設け、前記第２の弾性体のバネ力に抗して操作部材を係合部材に近づけた後、操作部材の回動により係合部材を回動させて前記係合を解除するようにしたことを特徴とする請求項１に記載の電子機器。
【請求項４】
前記支持軸が挿通される前記係合部材の軸受部は、前記係合爪と同一方向に突出させて設けたことを特徴とする請求項１に記載の電子機器。
【請求項５】
前記機器本体には、前記操作部材の初期状態の第１の位置における回動を阻止する背当て部と、当該操作部材が前記支持軸の軸方向へ所定距離移動した後の第２の位置において回動動作を可能とした回動用溝部を設けたことを特徴とする請求項３記載に記載の電子機器。
【発明の詳細な説明】
【技術分野】
【０００１】
本発明は、機器本体の外面にバッテリパック、乾電池パック、充電器等の装着部品を装着して係止するようにした電子機器に関し、特に、装着部品を摘まんで外そうとしても簡単には外れることがないようにした装着部品の取付構造に関するものである。
【背景技術】
【０００２】
従来の、この種の電子機器としては、例えば、特許文献１に記載されているようなものがある。特許文献１には、電気的接続が図られる端子を有する本体側機器と装着部品との取付構造に関し、その取付及び離脱の確実性並びにガタつきを防止する技術に関するものが記載されている。この特許文献１に記載された装着部品の取付構造は、本体側機器に対して着脱自在に装着された状態において本体側機器に対して電気的接続が為されるようにした装着部品の取付構造であって、本体側機器は本体側端子を有し、装着部品は上記本体側端子に接合する装着部品側端子を有しており、装着部品が本体側機器に装着されたときに上記本体側端子と装着部品側端子とが接合するようになっており、本体側機器の装着面に対してほぼ直交する方向に装着部品を押し上げる押上手段と、該押上手段により押し上げる方向の押上力を阻止するロック手段とを有することを特徴としている。
【０００３】
この装着部品の取付構造の概略構成を、図２２を参照して説明する。図２２に示す１は、ビデオカメラの機器本体であり、この機器本体１の外面に設けられたバッテリ収納部２に、装着部品であるバッテリ３が装着されて収納されている。機器本体１には、バッテリ収納部２に開口される開口部４が設けられており、支持軸５によって機器本体１に回動自在に支持された係合部材６の係合爪７が開口部４を貫通してバッテリ収納部２内に突出されている。
【０００４】
係合部材６は、図示しない弾性体により付勢されて、バッテリ３の係合凹部８に係合されている。係合部材６と同じく、支持軸５には操作部材９が回動自在に支持されている。この操作部材９を、図２２において外側（時計方向）へ回動させることにより、係合部材６が同じく時計方向に回動され、バッテリ３のロックが解除される。その後、バッテリ収納部２が開口する側方、すなわち、バッテリ収納部２の載置面と垂直をなす方向（バッテリ着脱方向）Ｘへバッテリ３を引き出すことにより、バッテリ３を機器本体１から容易に取り出すことができる。
【０００５】
一方、バッテリ収納部２にバッテリ３を装着する場合には、バッテリ着脱方向Ｘからバッテリ３を近づけ、その載置面側の角部で係合部材６の係合爪７を押圧する。これにより、弾性体のバネ力に抗して係合部材６が、図２２において時計方向に回動され、係合爪７の先端がバッテリ３の角部を乗り越える。その結果、係合爪７がバッテリ３の係合凹部８に係合され、これにより、バッテリ３がバッテリ収納部２に収納されるとともに、係合部材６等からなるバッテリ係合機構によってロックされる。
【０００６】
しかしながら、前述したような装着部品の取付構造においては、図２２に図示するように、係合爪７が係合凹部８に圧接される押圧部Ｓと係合部材６の回動中心Ｏとを結ぶ線Ｔがバッテリ着脱方向Ｘと平行をなす方向Ｙとある角度θをなして交差している構造となっていた。更に、バッテリ収納部２をバッテリ３よりも若干大きく形成し、適当な大きさのガタを設けることによりバッテリ収納部２に対するバッテリ３の着脱性を容易にしていた。
【０００７】
ところが、このような理由で設けたガタの存在と、前述した係合部材６の押圧部Ｓと回動中心Ｏを結ぶ線Ｔがバッテリ着脱方向Ｘと平行をなす方向Ｙに対して角度θだけずれて設定されていることにより、バッテリ３の装着には大きな力が必要になる一方、比較的小さな力で係合爪７によるロックが解除され、バッテリが容易に取り出せてしまうという不十分な点があった。
【０００８】
すなわち、図２２のように、係合爪７の押圧部Ｓが回動中心Ｏと比べてバッテリ着脱方向Ｘの内側（バッテリ３に近い側）に設定されている構造において、バッテリ３を装着する場合には、バッテリ３の押圧力が係合爪７の外側傾斜面に作用するため、その外側傾斜面に作用する１つの分力として係合部材６には反時計方向に向かう回動力が発生する。この反時計方向の回動力は、バッテリ３を装着する際の抵抗力となるため、バッテリ３をバッテリ収納部２に装着するには、この抵抗力に打ち勝つ力で係合爪７の外側傾斜面を押圧して、係合部材６に時計方向に向かう回動力を発生させてやる必要がある。そのため、バッテリ３の装着力が大きくなるという不具合があった。
【０００９】
これに対して、バッテリ収納部２にバッテリ３を装着した状態において、バッテリ３を引き抜こうとするバッテリ着脱方向Ｘの力をバッテリ３に作用すると、その引抜力によって係合部材６には時計方向に向かう回動力が発生する。この時計方向に向かう回動力は、係合部材６がバッテリ着脱方向Ｘと一致するまで働くため、係合部材６は比較的容易に回動してしまい、比較的小さな力で係合爪７による係合凹部８とのロックが解除されてしまうという不具合があった。
【特許文献１】特開２００３−３６８２７号公報
【発明の開示】
【発明が解決しようとする課題】
【００１０】
解決しようとする問題点は、係合部材６の押圧部Ｓと回動中心Ｏを結ぶ線Ｔがバッテリ着脱方向Ｘと平行をなす方向Ｙに対して角度θだけずれて設定されているため、バッテリ３の装着には大きな力が必要になる一方、比較的小さな力で係合爪７によるロックが解除されてしまうと言う点である。
【課題を解決するための手段】
【００１１】
本出願の請求項１に記載の発明は、装着部品が着脱自在に装着される部品収納部が外面に設けられた機器本体と、装着部品を部品収納部に係合保持する部品係合機構と、を備えた電子機器において、部品係合機構は、機器本体に回動自在に支持されるとともに、第１の弾性体で付勢されることにより部品収納部に装着された装着部品に係合される係合爪を有する係合部材と、係合部材の係合を解除する操作部材と、を備え、係合爪による装着部品の係合部と係合部材の回動中心とを結ぶ線が、装着部品の着脱方向と略平行か又は若干内側となるように回動中心を設定したことを最も主要な特徴とする。
【００１２】
本出願の請求項２に記載の発明は、係合部材の回動中心と操作部材の回動中心を同一軸心線上に設定するとともに、操作部材の回動力を伝達させて係合部材を、係合が解除される方向に回動させる操作力伝達手段を設けたことを特徴とする。
【００１３】
本出願の請求項３に記載の発明は、係合部材及び操作部材を支持軸によって回動自在に支持するとともに、操作部材を係合部材から離反する方向に付勢する第２の弾性体を設け、第２の弾性体のバネ力に抗して操作部材を係合部材に近づけた後、操作部材の回動により係合部材を回動させて係合を解除するようにしたことを特徴とする。
【００１４】
本出願の請求項４に記載の発明は、支持軸が挿通される係合部材の軸受部は、係合爪と同一方向に突出させて設けたことを特徴とする。
【００１５】
また、本出願の請求項５に記載の発明は、機器本体には、操作部材の初期状態の第１の位置における回動を阻止する背当て部と、操作部材が支持軸の軸方向へ所定距離移動した後の第２の位置において回動動作を可能とした回動用溝部を設けたことを特徴とする。
【発明の効果】
【００１６】
本出願の請求項１に記載の発明によれば、係合部材の係合爪による装着部品の係合部と係合部材の回動中心とを結ぶ線が、装着部品が着脱される部品着脱方向と略平行にするか又は若干内側となるように係合部材の回動中心を設定したため、装着部品を部品着脱方向と平行にして部品収納部に装着すると、係合部材が比較的容易に回動して係合爪が装着部品の係合凹部に係合される。一方、部品収納部に収納された装着部品を部品着脱方向と略平行する方向に引き抜こうとすると、係合部と回動中心とを結ぶ線が部品着脱方向と略平行に設定されているため、引き抜き力によっては係合部材に回転力を生じさせることがなく、係合爪による装着部品のロック状態を保持して、装着部品が簡単には取り出せないようにすることができる。
【００１７】
本出願の請求項２に記載の発明によれば、係合部材と操作部材との間に操作力伝達手段を設ける構成としたため、操作部材の回動操作によって係合部材が一体的に回動され、比較的構造が簡単であって、開閉時の操作性を向上させることができる。
【００１８】
本出願の請求項３に記載の発明によれば、係合部材と操作部材との間に第２の弾性体を介在させる構成としたため、操作部材のスライド操作のみでは部品係合機構が解除されることがなく、したがって、操作部材に不用意に触れたような場合においても装着部品が外れてしまうことがない。
【００１９】
本出願の請求項４に記載の発明によれば、係合部材の軸受部を係合爪と同じ方向に突出させる構成としたため、係合部材の構成を簡単なものとすることができる。
【００２０】
また、本出願の請求項５に記載の発明によれば、機器本体に背当て部と回動用溝部を設ける構成としたため、第１の位置から第２の位置まで操作部材をスライド動作させるとともに、第２の位置において操作部材に回動動作を与えることができる。したがって、スライド動作のみでは部品係合機構のロックが解除されることがないため、装着部品に不用意に触れたような場合においても、装着部品が簡単に外れてしまうことがない。
【発明を実施するための最良の形態】
【００２１】
係合部材の係合部と回動中心を結ぶ線を、部品着脱方向と略平行か又は若干内側となるように回動中心を設定することにより、装着部品の装着が容易でありながら、装着部品が外れ難いように、簡単な構造によって実現した。
【００２２】
図１〜図２１は、本発明の実施の形態を示すものである。すなわち、図１乃至図３は本発明の電子機器の一実施例を示す図、図４乃至図１１は本発明の電子機器に係る部品係合機構を説明する図、図１２及び図１３は本発明の電子機器に係る装着部品を示す図、図１４及び図１５は本発明の電子機器に係る部品係合機構の操作部材を示す図、図１６及び図１７は本発明の電子機器に係る部品係合機構の機器本体側を示す図、図１８及び図１９は本発明の電子機器に係るバックアップ電池蓋を示す図、図２０及び図２１はバックアップ電池の取り外し作業を説明する図である。
【００２３】
図１乃至図３に示す本発明の電子機器の一具体例は、極めて小型化されたデジタルビデオカメラ１０である。このデジタルビデオカメラ１０は、大人の手のひらの中に隠れてしまうような極めて小型サイズの撮像装置であって、略四角形の筐体からなる機器本体１１を備えている。この機器本体１１は、幅方向に適当な厚みを有するとともに、高さ方向に縦長とされていて、その中空室内には、高さ方向の上部にレンズ装置１２が内蔵され、中部から下部にかけて情報記録再生装置が内蔵されている。
【００２４】
機器本体１１の正面上部には、レンズ装置１２の対物レンズ１２ａが露出するようになされ、その光軸上の後方に、図示しない固体撮像装置が配置されている。そして、機器本体１１の上面のレンズ装置１２の後部には、ステレオ方式のマイクロホン１３が配設されている。機器本体１１の正面下部には、この機器本体１１を把持するための指掛け用の把持部１４が設けられている。
【００２５】
機器本体１１の一方の側面の上部には、液晶ディスプレイを有する表示パネル１５が回動支持機構１６を介して水平方向へ回動自在に取り付けられている。この回動支持機構１６により表示パネル１５は、図１に示すように機器本体１１の側面に装着された状態と、図２に示すように側方へ９０度回動されて突出した状態を選択的に取ることができる。更に、表示パネル１５は、回動支持機構１６によって上下方向にも回動自在とされており、これにより、図２に示すように背面側に表示画面１７を向けた状態と、この状態から１８０度回動させて前方に表示画面１６を向けた状態を選択的に取ることができる。表示パネル１５は、機器本体１１に取り付けられた掛止め部材１８によって閉じ状態で係合保持される。
【００２６】
機器本体１１の表示パネル１５のある側の下部には、装着部品の一具体例を示す電源装置としてのバッテリ２０が着脱自在に収納される部品収納部の一具体例を示すバッテリ収納部２５が設けられている。バッテリ２０は、充電が可能な二次電池が用いられていて、図１２及び図１３に示すような構成を備えている。すなわち、バッテリ２０は、略直方体をなすブロック状の部材からなり、バッテリ収納部２５の載置面２６に載置される下面２０ａと、この下面２０ａの反対側の面をなす上面２０ｂと、これらの長手方向両側に連続する第１の端面２０ｃ及び第２の端面２０ｄと、幅方向両側に連続する第１の側面２０ｅ及び第２の側面２０ｆとを有している。
【００２７】
バッテリ２０の第１の端面２０ｃには、下面２０ａに近い角部において、その辺に沿うように延在する長溝状の係合凹部２１が設けられている。また、バッテリ２０の第２の端面２０ｄには、機器本体１１側の電気回路と接続するための端子部２２と、バッテリ収納部２５に位置決めするための位置決め凹部２３が設けられている。そして、バッテリ２０の上面２０ｂには、このバッテリ２０の挿入方向を支持する三角マークの指示標識２４が設けられている。
【００２８】
このような構成を有するバッテリ２０が装着されるバッテリ収納部２５は、図１及び図２に示すように、バッテリ２０が載置される機器本体１１の載置面２６と、この載置面２６の左側に連続する左側面壁２７と、載置面２６の右側に連続する右側面壁２８と、載置面２６の下側に連続する下面突条２９とで囲まれるように形成されている。載置面２６は、バッテリ２０の下面と略同一の大きさを有する平面部からなり、左側面壁２７に連続する角部の表示パネル１５側には開口部３１が設けられ、反対の下面突条２９側には位置決め凸部３２が設けられている。
【００２９】
バッテリ収納部２５の開口部３１には、レンズ装置１２や情報記録再生装置のコネクタ３３が配設されている。このコネクタ３３に、バッテリ２０の端子部２２が着脱可能に装着される。また、位置決め凸部３２にはバッテリ２０の位置決め凹部２３が係合され、これによりバッテリ収納部２５に対するバッテリ２０の位置決めがなされる。バッテリ収納部２５の右側面壁２８に連続する角部の略中央部には、バッテリ２０を着脱可能に係合保持する部品係合機構の一具体例を示すバッテリ係合機構６０が設けられている。このバッテリ係合機構６０については、後に詳細に説明する。
【００３０】
バッテリ収納部２５の右側面壁２８におけるバッテリ係合機構６０の両外側には、バッテリ２０の長手方向の位置を規制する規制凸部３５が設けられている。そして、載置面２６における下面突条２９に近い側の隅部には貫通穴３６が設けられていて、貫通穴３６には押出し部材３７が内側から緩く挿通されている。押出し部材３７は、ロックが解除されたバッテリ２０を取り出す方向に付勢するものである。この押出し部材３７は、図６及び図１０に示すように、くさび状の突起部がバッテリ収納部２５側に突出するように捩りバネ３８によって付勢されている。
【００３１】
機器本体１１の表示パネル１５のある面と反対側の面には、図に表れない情報記録再生装置を露出させる開口部が設けられていて、その開口部は開閉蓋４０によって開閉可能とされている。開閉蓋４０の背面には、デジタルビデオカメラ１０の電源スイッチ４１と、開閉蓋４０の蓋開放ボタン４２が取り付けられている。そして、機器本体１１の背面で開閉蓋４０の上方には、録画ボタン４３とズームボタン４４とフォトボタン４５が設けられている。更に、機器本体１１の背面であって掛止め部材１８の内側にはカード挿入口４６が設けられている。このカード挿入口４６には、外部記憶装置の一具体例を示す半導体記憶媒体（例えば、メモリカードなど）４７が挿入され、その半導体記憶媒体４７に対して撮影情報の記録が可能とされている。
【００３２】
図２に示すように、機器本体１１の表示パネル１５側の面には、表示パネル１５の逆光を補正するためのスイッチ、表示画面にバックライトを当てるスイッチその他の操作スイッチ４８が設けられている。更に、内蔵されたスピーカの音を外部に放射するための複数の小孔４９が設けられている。機器本体１１の操作スイッチ４８の上部には、バックアップ電池を保持するための電池蓋５１が嵌り合うように装着される貫通穴５２が設けられている。
【００３３】
電池蓋５１は、矩形をなす板体の上角部の一方を面取りしたような形状をなしており、その下辺には、マイナスドライバ等の取り外し工具の先端が差し込まれる切欠き５３が設けられている。この電池蓋５１は、複数個の弾性片５４と１本の棒バネ５５とで係合保持されて機器本体１１からの脱落が防止されている。
【００３４】
図１８に示すように、電池蓋５１の背面には、貫通穴５２の縁に係合される３個の弾性片５４ａ，５４ｂ，５４ｃと、バックアップ電池５０を囲う４個の支持片５４ａ，５６ａ，５６ｂ，５６ｃを有しており、このうちの弾性片５４ａと支持片５４ａは同一のもので兼用されている。２個の弾性片５４ａ，５４ｂは、面取りのある辺に縦並びに設定されているとともに、他の１個の弾性片５４ｃは対向する辺に設定されている。電池蓋５１を貫通穴５２に装着する場合は、まず、１個の弾性片５４ｃを貫通穴５２の縁に引っ掛け、その後、他方の２個の弾性片５４ａ，５４ｂを貫通穴５２の縁に押し付けて圧力を加えるようにする。その結果、２個の弾性片５４ａ，５４ｂが貫通穴５２の縁を乗り越えることにより、電池蓋５１が貫通穴５２に嵌まり込む。
【００３５】
電池蓋５１の、弾性片を兼ねる支持片５４ａと他の３個の支持片５４ａ，５６ａ，５６ｂ，５６ｃとは、バックアップ電池５０を囲うよう四方に配置されている。バックアップ電池５０は、図２１Ｂに示すように、フレキシブル配線板５７の先端に設けられた配線基板５８に固定されている。このバックアップ電池５０は、万一のバッテリ２０の電池切れの場合に使用するものである。バックアップ電池５０が固定された配線基板５８は、図２１Ａに示すように、電池蓋５１の２個の支持片５４ａ，５６ｂで挟持されている。
【００３６】
このように保持されたバックアップ電池５０を電池蓋５１と一体に取り出し可能に構成した理由は、デジタルビデオカメラ１０を廃棄処分等する場合に、機器本体１１からバックアップ電池５０を取り出して個別に廃棄処分できるようにするためである。機器本体１１の貫通穴５２に装着された電池蓋５１は、図１８及び図１９に示すように、棒バネ５５によって機器本体１１の内面に固定されている。棒バネ５５は、電池蓋５１よりやや長めの針状のバネ材からなり、電池蓋５１の背面に設けられたバネ受け部５９を貫通して両側に同程度突出されている。そして、棒バネ５５の両端部は、貫通穴５２の裏面側の縁に設けた受け凸部１１ａよってそれぞれ支持されている。
【００３７】
このような構成を有する電池蓋５１の取り外し作業は、例えば、次のようにして行うことができる。まず、図２０Ａに示すように、電池蓋５１の切欠き５３に、治具としてのマイナスドライバの先端を挿入する。次に、図２０Ｂに示すように、ドライバの先端を切欠き５３に引っ掛け、棒バネ５５のバネ力に抗してこじる。これにより、図２０Ｃに示すように、弾性片５４ｃの係合力及び棒バネ５５のバネ力に抗して電池蓋５１をこじ開けることができる。
【００３８】
そして、図２１Ａに示すように、電池蓋５１に固定されている配線基板５８及びバックアップ電池５０を前側に引き出す。そして、図２１Ｂに示すように、配線基板５８から電池蓋５１を引き剥がすことにより、バックアップ電池５０を露出させることができる。この状態とすることにより、バックアップ電池５０のみを取り外して、その後の処分を行うことができる。この場合、通常の使用状態においては、電池蓋５１が棒バネ５５によって支えられているため、棒バネ５５のバネ力で電池蓋５１及びバックアップ電池５０を確実に保持することができる。
【００３９】
バッテリ係合機構６０は、図４乃至図１１及び図１４乃至図１７に示すような構成を有している。すなわち、バッテリ係合機構６０は、バッテリ２０に対して着脱可能に係合される係合部材６１と、この係合部材６１をバッテリ収納部２５側に常時付勢する第１の弾性体の一具体例を示す捩りバネ６２と、係合部材６１をバッテリ２０から離れる方向に回動させてロックを解除する操作部材６３と、この操作部材６３を係合部材６１から離反させる方向に常時付勢する第２の弾性体の一具体例を示すコイルバネ６４等を備えて構成されている。
【００４０】
係合部材６１は、図５及び図９に示すような構成を有している。すなわち、係合部材６１は、支持軸６５が回動自在に挿通される軸受部６６と、この軸受部６６から一方に突出する腕部６７と、腕部６７の先端において一面側に突出された係合爪６８と、係合爪６８の背面側において上方及び側方に展開された受圧部６９を有している。軸受部６６と係合爪６８は、腕部６７から同一方向に突出されていて、このような形状とすることにより、係合部材６１の形状を簡単なものとしつつ、その目的である係合爪６８でバッテリ２０の係合凹部２１を押圧する係合部と軸受部６６の中心を結ぶ線が、部品着脱方向の一具体例を示すバッテリ着脱方向Ｘと略平行となるように構成することができる。
【００４１】
係合部材６１の係合爪６８は、上面が傾斜面６８ａとなったくさび形状とされている。また、受圧部６９の一部は係合爪６８の側方に突出するように形成されている。この受圧部６９には、操作部材６３の操作時に押圧部が当接され、その押圧部の押圧力によって係合部材６１が後退動作される。更に、軸受部６６には、捩りバネ６２のコイル部を収容するための切欠き６６ａが設けられている。
【００４２】
操作部材６３は、図１４及び図１５に示すような構成を有している。すなわち、操作部材６３は、支持軸６５が回動自在に挿通される軸受部７０と、この軸受部７０から一方に突出するアーム部７１と、アーム部７１の先端において一面側に庇状に突出された操作部７２と、軸受部７０とアーム部７１とが連続する部分において水平方向に展開されたスカート部７３を有している。
【００４３】
操作部材６３の軸受部７０と操作部７２は、互いに反対側に突出するように形成されている。そして、操作部７２の上面には滑り止め用の凸部７２ａが設けられている。さらに、操作部７２の下面には、操作部材６３が支持軸６５の軸方向へスライド動作すること、及び周方向へ回動動作することをガイドするガイド突起７４が設けられている。また、アーム部７１の操作部７２側には、回動時に係合部材６１の受圧部に係合される押圧部７５が設けられている。スカート部７３は、操作部材６３の回動によって切欠き部８０にできる隙間を覆い隠すものである。
【００４４】
前記係合部材６１の受圧部６９と操作部材６３の押圧部７５とで、操作部材６３の回動により係合部材６１を回動させる操作力伝達機構が構成されている。
【００４５】
このような構成を有する係合部材６１及び操作部材６３の一部をバッテリ収納部２５及び外部に露出させるため、図１〜図４等に示すように、機器本体１１の右側面壁２８には切欠き部８０が設けられている。右側面壁２８には、操作部材６３の操作部７２が嵌り合う凹陥部８１が設けられている。凹陥部８１は、図１６及び図１７に示すように、操作部７２が右側面壁２８の連続する上下方向へ移動するために必要な長さだけ大きく形成されている。そして、操作部７２の表面は機器本体１１の右側面壁の表面と同一面となるように形成されている。この凹陥部８１の略中央部に、右側面壁２８を水平方向（横方向）へ突っ切るように切欠き部８０が形成されている。
【００４６】
切欠き部８０の上下方向上側の縁には上当接部８３が設定され、また、下側の縁には下当接部８４が設定されている。この上当接部８３には操作部材６３のアーム部７１の上面が当接され、また、下当接部８４にはアーム部７１の下面が当接される。更に、凹陥部８１の下当接部８４の下側には、係合部材６１の係合爪６８が突出される爪用切欠き８５が設けられている。そして、凹陥部８１の上当接部８３の外側には、操作部材６３の回動を阻止する背当て部８６が設けられている。
【００４７】
また、凹陥部８１の下当接部８４側には、上下方向に延在されたスライド用溝部８７が設けられている。このスライド用溝部８７の下端部には、周方向に延在された回動用溝部８８が設けられている。これらの溝部８７，８８には、操作部材６３に設けたガイド突起７４が摺動可能に係合される。
【００４８】
図５及び図９に示すように、係合部材６１の軸受部６６に設けた切欠き６６ａには捩りバネ６２のコイル部が介在され、また、軸受部６６と操作部材６３の軸受部７０との間にはコイルバネ６４が介在されている。そして、これら軸受部６６と捩りバネ６２とコイルバネ６４と軸受部７０には１本の真っ直ぐな支持軸６５が回動自在に挿通されている。この支持軸６５を軸押え板９０で機器本体１１に固定することにより、係合部材６１と操作部材６３が右側面壁２８の内側に回動自在に支持されている。
【００４９】
すなわち、図６及び図１０に示すように、支持軸６５の両端が右側面壁２８の内側に設けた軸受部９１，９１の溝内に収納されていて、その外側が軸押え板９０の両側に設けた押え片９０ａ，９０ａで塞がれている。捩りバネ６２の一方の片６２ａは載置面２６に係止され、他方の片は係合部材６１に係止されていて、これにより、捩りバネ６２のバネ力で係合爪６８が爪用切欠き８５からバッテリ収納部２５内に突出するように付勢されている。
【００５０】
このような構成を有するバッテリ係合機構６０では、図１１に示すような状態で、バッテリ収納部２５に装着されているバッテリ２０が係合部材６１により係合保持され、その装着状態でロックされる。このとき、図１１に示すように、バッテリ２０の係合凹部２１に係合された係合爪６８の押圧部Ｓと係合部材６１の回動中心Ｏを結ぶ線Ｙの延在する方向は、バッテリ収納部２５の載置面２６と垂直をなすバッテリ着脱方向Ｘと略平行となるように構成されている。この係合部材６１の回動中心Ｏは、図１１に示す位置より右側（
バッテリ２０から離れる側）ではよくないが、少々の距離であれば、図１１に示す位置より左側（バッテリ２０に近づく側）でもよい。その理由は、次の動作説明において説明する。
【００５１】
バッテリ係合機構６０の動作は、次のようなものである。まず、バッテリ収納部２５にバッテリ２０を装着する場合について説明する。この場合は、バッテリ収納部２５にバッテリ２０を近づけた後、図３において二点鎖線で示すように、バッテリ２０の端子部２２をバッテリ収納部２５内のコネクタ３３にあてがい、係合凹部２１側を押圧する。これにより、バッテリ２０の端子部２２側の角部が、バッテリ収納部２５内に突出されている係合爪６８の傾斜面６８ａに当接される。
【００５２】
更に、捩りバネ６２のバネ力に抗してバッテリ２０の端子部２２側を押圧することにより、係合爪６８が後退動作してバッテリ２０の角部を乗り越え、係合凹部２１内に入り込む。その結果、図１１に示すような状態となり、バッテリ２０がバッテリ収納部２５に装着されるとともに、バッテリ係合機構６０によりバッテリ２０が係合保持され、その保持状態でロックされる。
【００５３】
このようなロック状態において、本実施例によれば、従来のようにバッテリを把持しただけのような場合には、バッテリ２０がバッテリ収納部２５から外れることがなく、バッテリ２０をバッテリ収納部２５に確実に係合保持することができる。その理由は、本願発明が、図１１を参照して前述したように、係合爪６８の押圧部Ｓと係合部材６１の回動中心Ｏを結ぶ線Ｙが、バッテリ着脱方向Ｘと略平行に設定されているからである。このように前記結ぶ線Ｙをバッテリ着脱方向Ｘと平行にした場合には、バッテリ着脱方向Ｘに作用する取り出し力に対して、係合部材６１には回動方向に働く分力（図１１において時計方向に作用する力）が発生することがなく、その係合状態を維持するように係合凹部２１と係合爪６８との係合が持続されるからである。
【００５４】
次に、バッテリ収納部２５からバッテリ２０を取り出す場合について説明する。この場合は、まず、操作部材６３を下方、すなわち、表示パネル１５から離れる方向へスライド動作させる。このとき、操作部材６３の背面には右側面壁２８の凹陥部８１に設けた背当て部８６が当接されているため、初期位置においては操作部材６３を回動操作することができない。一方、操作部材６３は支持軸６５の軸方向には移動可能とされているとともに、操作部７２の下面に設けたガイド突起７４は凹陥部８１のスライド用溝部８７に対向されているため、操作部材６３を下方へスライド動作させることは可能である。
【００５５】
そこで、ガイド突起７４をスライド用溝部８７に挿入させ、操作部材６３を下方の所定位置である回動用溝部８８までスライド動作させる。次に、操作部材６３を外側（バッテリ２０から離れる側）に回動させることにより、ガイド突起７４が回動用溝部８８に入り込むため、操作部材６３の回動操作を行うことができる。このとき、操作部材６３の押圧部７５が係合部材６１の受圧部６９に当接する。この際、捩りバネ６２のバネ力に抗して操作部材６３を回動させることにより、係合部材６１を操作部材６３と一体的に回動させて、係合爪６８をバッテリ収納部２５から後退動作させることができる。
【００５６】
その結果、バッテリ係合機構６０によるバッテリ２０のロックが解除され、係合爪６８が背面側に回動されて係合による保持が解消される。そこで、バッテリ２０の係合凹部２１側を把持してバッテリ着脱方向Ｘへ引き抜くことにより、バッテリ２０をバッテリ収納部２５から容易に取り出すことができる。
【産業上の利用可能性】
【００５７】
本発明は、前述しかつ図面に示した実施の形態に限定されるものではなく、その要旨を逸脱しない範囲内で種々の変形実施が可能である。前記実施例では、装着部品としてバッテリ２０を適用した例について説明したが、例えば、乾電池を着脱可能とした乾電池パック、充電器、ビデオライト、その他各種の装着部品に適用できるものである。また、装着部品が装着される電子機器としては、前記実施例で説明したデジタルビデオカメラに限定されるものではなく、例えば、デジタルスチルカメラ、カメラ一体型ビデオテープレコーダ、パーソナルコンピュータ、電子辞書その他各種の電子機器に適用できることは勿論である。さらに、第１及び第２の弾性体としては、前記捩りバネ及びコイルバネに限定されるものではなく、他の形状のバネ材を適用できることは勿論のこと、ゴム状弾性体を用いることもできる。
【図面の簡単な説明】
【００５８】
【図１】本発明の電子機器の一実施例を示すもので、部品収納部を開放した状態の正面側から見た斜視図である。
【図２】本発明の電子機器の一実施例を示すもので、部品収納部及び表示パネルを開放した状態の背面側から見た斜視図である。
【図３】図１に示す電子機器の部品収納部に装着部品を装着した状態の背面側から見た斜視図である。
【図４】図１の要部を拡大して示すもので、部品係合機構の操作前の状態の説明図である。
【図５】図４に示す係合部材及び操作部材を部品収納部側から見た分解斜視図である。
【図６】図４に示す部品係合機構の操作前の状態を裏面側から見た説明図である。
【図７】図４に示す部品係合機構の操作前から操作中に変化した状態の説明図である。
【図８】図４に示す部品係合機構の操作後の状態の説明図である。
【図９】図８に示す係合部材及び操作部材を部品収納部側から見た分解斜視図である。
【図１０】図８に示す部品係合機構の操作後の状態を裏面側から見た説明図である。
【図１１】図４に示す部品係合機構で装着部品を係合保持した状態を断面して示す説明図である。
【図１２】本発明の電子機器に係る装着部品の一実施例を示すもので、表面から見た斜視図である。
【図１３】本発明の電子機器に係る装着部品の一実施例を示すもので、裏面から見た斜視図である。
【図１４】本発明の電子機器に係る部品係合機構の操作部材を一面側から見た斜視図である。
【図１５】本発明の電子機器に係る部品係合機構の操作部材を他面側から見た斜視図である。
【図１６】本発明の電子機器に係る部品係合機構の凹陥部を一面側から見た斜視図である。
【図１７】本発明の電子機器に係る部品係合機構の凹陥部を他面側から見た斜視図である。
【図１８】本発明の電子機器に係るバックアップ電池用電池蓋の取り付け状態を示す説明図である。
【図１９】図１８のＺ−Ｚ線断面図である。
【図２０】本発明の電子機器に係るバックアップ電池用電池蓋の取り外し手順を説明するもので、同図Ａは切欠きにドライバの先端を差し込んだ状態、同図Ｂはドライバで電池蓋をこじる状態、同図Ｃは電池蓋をこじ開けた状態のそれぞれ説明図である。
【図２１】本発明の電子機器に係るバックアップ電池用電池蓋の取り外し手順を説明するもので、同図Ａは電池蓋と一体の配線基板を取り出した状態、同図Ｂは電池蓋を取り外した状態のそれぞれ説明図である。
【図２２】従来のバッテリ係合機構でバッテリを係合保持した状態を断面して示す説明図である。
【符号の説明】
【００５９】
１０…デジタルビデオカメラ（電子機器）、１１…機器本体、２０…バッテリ（装着部品）、２１…係合凹部、２５…バッテリ収納部（部品収納部）、２６…載置面、２８…右側面壁、６０…バッテリ係合機構（部品係合機構）、６１…係合部材、６２…捩りバネ（第１の弾性体）、６３…操作部材、６４…コイルバネ（第２の弾性体）、６５…支持軸、６８…係合爪、６８ａ…傾斜面、６９…受圧部、７２…操作部、７５…押圧部、８０…切欠き部、８１…凹陥部、８６…背当て部、８７…スライド用溝部、８８…回動用溝部
【図１】
2005079019.tif 000003
【図２】
2005079019.tif 000004
【図３】
2005079019.tif 000005
【図４】
2005079019.tif 000006
【図５】
2005079019.tif 000007
【図６】
2005079019.tif 000008
【図７】
2005079019.tif 000009
【図８】
2005079019.tif 000010
【図９】
2005079019.tif 000011
【図１０】
2005079019.tif 000012
【図１１】
2005079019.tif 000013
【図１２】
2005079019.tif 000014
【図１３】
2005079019.tif 000015
【図１４】
2005079019.tif 000016
【図１５】
2005079019.tif 000017
【図１６】
2005079019.tif 000018
【図１７】
2005079019.tif 000019
【図１８】
2005079019.tif 000020
【図１９】
2005079019.tif 000021
【図２０】
2005079019.tif 000022
【図２１】
2005079019.tif 000023
【図２２】
2005079019.tif 000024